(57)【要約】【課題】種々の編み形のヘアースタイルを、熟練を必要とせずに誰でも簡単に作ることができる頭髪編み器を提供するものである。【解決手段】２枚のプラスチック板２、２を重ねて中央部で、縦方向を軸として前後に開閉自在に連結して２重のバタフライ状に形成すると共に、重ねた２枚のプラスチック板２、２の両端を着脱自在の凸部５と凹部６の嵌合構造とし、２枚のプラスチック板２、２の片側２ａ、２ａ、２ｂ、２ｂに髪の束９を挟持してから前記嵌合構造で固定するようにしたものである。【選択図】  図２  
2005279089.tif 000002
【特許請求の範囲】
【請求項１】
２枚のプラスチック板を重ねて中央部で、縦方向を軸として前後に開閉自在に連結して２重のバタフライ状に形成すると共に、重ねた２枚のプラスチック板の両端を着脱自在の嵌合構造とし、２枚のプラスチック板の片側を開いて、ここに髪の束を挟持してから前記嵌合構造で固定するようにしたことを特徴とする頭髪編み器。
【請求項２】
２枚のプラスチック板の対向する内側面に複数の突起を直線状に形成して髪を梳くようにしたことを特徴とする請求項１記載の頭髪編み器。
【発明の詳細な説明】
【技術分野】
【０００１】
本発明は、頭髪編み器に関するものである。
【背景技術】
【０００２】
頭髪を三つ編する場合、髪を３本に分けて束ねて、この髪の束を手で持って交互にクロスしながら編んでいき、先端を輪ゴムなどにより縛って固定している。しかしながら、このように手だけで編む場合、途中で手を離すことができない。また右手で持っていた髪の束を、左手に持ち替えたりするため、髪が混ざりあってきれいに仕上げることができなかった。また編み込む場合、１回ごとにピンで止めれば、きれいに仕上げることができるが、手間が掛かり、また編み込みのように髪の束が太くなってくるとピンで止めることができない問題があった。
【０００３】
従来、髪の束を駒に取付けて、この駒を順次回転移動させて交互に編むことによって三つ編または四つ編する器具が開発されている（例えば特許文献１）。しかしながらこの器具は、構造が複雑で人形の頭髪を連続的に編むものには良いが、人間の頭のように曲面のある髪に取付けて編むのが面倒であった。
【特許文献１】特開平２ー１０４３０５号公報
【発明の開示】
【発明が解決しようとする課題】
【０００４】
本発明は上記問題を改善し、種々の編み形のヘアースタイルを、熟練を必要とせずに誰でも簡単に作ることができる頭髪編み器を提供するものである。
【課題を解決するための手段】
【０００５】
本発明の請求項１記載の頭髪編み器は、２枚のプラスチック板を重ねて中央部で、縦方向を軸として前後に開閉自在に連結して２重のバタフライ状に形成すると共に、重ねた２枚のプラスチック板の両端を着脱自在の嵌合構造とし、２枚のプラスチック板の片側を開いて、ここに髪の束を挟持してから前記嵌合構造で固定するようにしたことを特徴とするものである。
【０００６】
本発明の請求項２記載の頭髪編み器は、２枚のプラスチック板の対向する内側面に複数の突起を直線状に形成して髪を梳くようにしたことを特徴とするものである。
【発明の効果】
【０００７】
本発明に係る請求項１記載の頭髪編み器によれば、所定の太さに束ねた髪を頭髪編み器の内側に挟み込んで保持して、交互に位置を変えたり、回転させたりしながら編んでいくので、手を離しても髪がほずれたり、混ざりあったりすることがなく、種々の編み形のヘアースタイルを、熟練を必要とせずに誰でも簡単に作ることができる
【０００８】
また請求項２記載の頭髪編み器によれば、２枚のプラスチック板の対向する内側面に、複数の突起が形成されているので、頭髪編み器を下げながら編んでいく過程で突起が櫛の役割をなして、更にきれいに編むことができる。
【発明を実施するための最良の形態】
【０００９】
三つ編みを簡単に編むことができる頭髪編み器を実現した。
【実施例１】
【００１０】
以下本発明の実施例を図１ないし図４を参照して詳細に説明する。図において１は頭髪編み器を示すもので、貝状に裁断した薄い２枚のプラスチック板２、２を重ねて、その上部に横方向に二つ折れに開閉自在のクリップ３、３を、その中央のヒンジ部４、４が、プラスチック板２、２の中央側に位置するように接合されている。従って２枚のプラスチック板２、２は、その中央部で縦方向を軸として前後に開閉自在に連結して２重のバタフライ状に形成されている。
【００１１】
また前記開閉自在のクリップ３、３は図２に示すように、その一端に凸部５が形成され、これと対向する他端に、凸部５が着脱自在に嵌合する凹部６が形成され、プラスチック板２の片側２ａ、２ａと他方側２ｂ、２ｂを引き離すことにより、凸部５が凹部６から外れてＶ形に開くようになっている。またプラスチック板２、２の対向する内側面には、図３に示すように、その上部横方向と、Ｖ形状に縦方向に複数の突起８が連続して形成されている。
【００１２】
上記構成の３個の頭髪編み器１１、１２、１３を使用して三つ編する場合について説明する。図２に示すように、頭髪編み器１１、１２、１３の凸部５を凹部６から外して片側２ａ、２ａと他方側２ｂ、２ｂをＶ形に開いておく。次に、図４（Ａ）に示すように、所定の太さに束ねた２本の髪の束９１、９１を頭髪編み器１１のヒンジ部４の両側のＶ形に開いた部分に１束ずつ挿入してから凸部５を凹部６に嵌合させて固定する。
【００１３】
次に別に束ねた２本の髪の束９２、９２も同様に中間に位置する頭髪編み器１２のヒンジ部４の両側のＶ形に開いた部分に１束ずつ挿入してから凸部５を凹部６に嵌合させて固定する。更に別に束ねた２本の髪の束９３、９３も一番下の頭髪編み器１３のヒンジ部４の両側のＶ形に開いた部分に１束ずつ挿入してから凸部５を凹部６に嵌合させて固定する。
【００１４】
次に一番手前の頭髪編み器１１を手に持って、図中矢印右向きに捩って頭髪編み器１３の下に重ねると図４（Ｂ）のようになる。次に手前にきた頭髪編み器１２を今度は逆向きの左向きに捩って頭髪編み器１１の下に重ねると図４（Ｃ）のようになる。この後、手前にきた頭髪編み器１３を、再び逆向きの右向きに捩って頭髪編み器１２の下に重ねると図４（Ｄ）のようになる。
【００１５】
以下、頭髪編み器１１、１２、１３を下げながら手前にきた頭髪編み器１１、１２、１３を左右交互に捩って下側に重ねていくと図４（Ｅ）に示すように三つ編を簡単に結うことができる。結い終った端部は、輪ゴムや髪止めで止めるか、あるいは頭髪編み器１１、１２、１３を付けたままピンなどで固定しても良い。
【００１６】
従って所定の太さに束ねた２本ずつの髪の束９１、９１と、髪の束９２、９２、髪の束９３、９３はそれぞれ別の頭髪編み器１１、１２、１３に保持されているので、手を離してもほずれたり、混ざりあったりすることがなく、頭髪編み器１１、１２、１３を左右交互に捩って下側に重ねていくだけで、誰でも簡単にきれいに三つ編することができる。またプラスチック板２、２の対向する内側面には、その上部横方向と、Ｖ形状に縦方向に複数の突起８が形成されているので、頭髪編み器１１、１２、１３を下げながら三つ編する過程で突起８が櫛の役割をなして、更にきれいに編むことができる。
【００１７】
なお上記説明では、頭髪編み器１１、１２、１３の両側をＶ形に開いて、両側に髪の束９１〜９３を１束ずつ挿入して太い三つ編をする場合について示したが、片側だけＶ形に開いて、ここに髪の束９１〜９３を１束ずつ挿入して細い三つ編を編むこともできる。
【００１８】
図５は３個の頭髪編み器１１、１２、１３を使用して編み込みの三つ編をする場合の本発明の他の実施例を示すものである。これは、図５（Ａ）に示すように、所定の太さに束ねた２本の髪の束９１、９１を頭髪編み器１１のヒンジ部４の両側のＶ形に開いた部分に１束ずつ挿入してから凸部５を凹部６に嵌合させて固定する。
【００１９】
同様に２本の髪の束９２、９２も同様に中間に位置する頭髪編み器１２に挿入して固定する。更に２本の髪の束９３、９３も一番下の頭髪編み器１３に挿入して固定する。
【００２０】
次に一番手前の頭髪編み器１１を持って図中矢印右向きに捩って図５（Ｂ）に示すように、頭髪編み器１３の下に重ね、頭髪編み器１１の片側２ａ、２ａをＶ形に開いてここに髪の束９１を挿入してから固定する。この後、手前にきた頭髪編み器１２を今度は逆向きの左向きに捩って頭髪編み器１３の下に重ねると図５（Ｃ）のようになる。この後、頭髪編み器１２の片側２ｂ、２ｂを開いてここに髪の束９２を挿入してから固定する。
【００２１】
次に、頭髪編み器１３を、再び逆の右向きに捩って頭髪編み器１２の下に重ねると図５（Ｄ）のようになり、この片側２ａ、２ａを開いてここに髪の束９３を挿入してから固定する。以下、頭髪編み器１１、１２、１３を下げながら、手前にきた頭髪編み器１１、１２、１３を左右交互に捩って下側に重ねていきながら髪の束９１〜９３を編み込んでいくと図５（Ｅ）に示すように編み込みの三つ編を簡単に結うことができる。
【００２２】
図６は１個の頭髪編み器１を使用して編む場合の他の実施例を示すものである。先ず図６（Ａ）に示すように、所定の太さに束ねた２本の髪の束９、９を頭髪編み器１のヒンジ部４の両側のＶ形に開いた部分に挿入してから凸部５を凹部６に嵌合させて固定する。次にこの頭髪編み器１を左向きに半回転させると図６（Ｂ）のようになる。ここで図６（Ｃ）に示すように片側２ａ、２ａを開いてここに髪の束９を挿入してから固定する。
【００２３】
この後、この頭髪編み器１を左向きに半回転させると図６（Ｄ）のようになる。ここで２ａ、２ａを開いて、ここに髪の束９を挿入してから固定する。以下同様に半回転させながら、髪の束９を編み込んでいくと図６（Ｅ）のようになる。
【００２４】
なお上記説明では、プラスチック板２、２の開閉軸となるヒンジ部４をクリップ３で形成した場合について示したが、図７に示すようにプラスチック板２、２の中央上部を接合して、ここを開閉軸となるヒンジ部４とした構造でも良い。
【図面の簡単な説明】
【００２５】
【図１】本発明の実施例による頭髪編み器を示す斜視図である。
【図２】図１の頭髪編み器を開いた状態を示す斜視図である。
【図３】図１の頭髪編み器の一方のプラスチック板を示す正面図である。
【図４】（Ａ）〜（Ｅ）は図１の頭髪編み器を３個用いて三つ編をする方法を順次示す説明図である。
【図５】（Ａ）〜（Ｅ）は図１の頭髪編み器を３個用いて編み込みの三つ編をする方法を順次示す説明図である。
【図６】（Ａ）〜（Ｅ）は図１の頭髪編み器を１個用いて編む方法を順次示す説明図である。
【図７】本発明の他の実施例による頭髪編み器の斜視図である。
【符号の説明】
【００２６】
１、１１、１２、１３  頭髪編み器                           
２  プラスチック板                                         
３  クリップ                                               
４  ヒンジ部                                               
５  凸部                                                   
６  凹部
８  突起
９、９１、９２、９３  髪の束  
【図１】
2005279089.tif 000003
【図２】
2005279089.tif 000004
【図３】
2005279089.tif 000005
【図４】
2005279089.tif 000006
【図５】
2005279089.tif 000007
【図６】
2005279089.tif 000008
【図７】
2005279089.tif 000009